(57)【要約】【課題】袋体２内に吸収体３の第１及び第２収納部６，７を備えた男性用体液処理用品において、体液が複数の吸収体に効率的に吸収されて外部に漏れ出にくいようにする。【解決手段】第１及び第２収納部６，７の間に上部隔壁１０と下部隔壁２０を設け、挿入口４から挿入したぺニスＰの先端を、両隔壁の間の連通部分から後方の第２収納部７内に配置する。排出された体液は第２収納部７の吸収体に優先的に吸収される。着用者が仰臥位をとっても隔壁のため体液が第１収納部６に直接移動して直ちに挿入口から漏出することはない。第２収納部７の過剰の体液は隔壁の連通部分から第１収納部６に移動して吸収される。複数の吸収体の吸収性能が最大限に発揮され、吸収容量が増大する。【選択図】図８
2006255178.tif 000002
【特許請求の範囲】
【請求項１】
着用者のペニスを挿入する挿入口を備えた袋体の内部が複数の室に区画され、各室内に体液の吸収体が設けられてなる男性用体液処理用品において、
前記各室が互いに部分的に連通するように、前記各室の間に可撓性の隔壁を設けたことを特徴とする男性用体液処理用品。
【請求項２】
着用者のペニスを挿入する挿入口を備えた袋体の内部が前室と後室に区画され、各室内に体液の吸収体が設けられてなる男性用体液処理用品において、
前記前室と前記後室が部分的に連通するように、前記前室と前記後室の間に可撓性の隔壁を設けたことを特徴とする請求項１記載の男性用体液処理用品。
【請求項３】
前記前室と前記後室が、前記袋体に形成された折り返し部において区画されており、前記隔壁が前記折り返し部に設けられたことを特徴とする請求項２記載の男性用体液処理用品。
【請求項４】
前記隔壁が、前記挿入口に相対する位置に配置されて前記挿入口から挿入されたぺニスの上側に下縁が当接する上部隔壁と、前記挿入口の下端よりも下方に上縁があり前記挿入口から挿入されたぺニスの先端を前記後室に案内する下部隔壁の少なくともいずれか一方から構成されたことを特徴とする請求項３記載の男性用体液処理用品。
【請求項５】
前記隔壁が、前記上部隔壁と前記下部隔壁からなり、前記上部隔壁と前記下部隔壁の間にはぺニスの先端が前記後室に配置されるようにぺニスが挿入されるとともに体液の流通を許容する連通開口部が設けられたことを特徴とする請求項４記載の男性用体液処理用品。
【請求項６】
前記上部隔壁と前記下部隔壁が一体のシート体からなり、前記連通開口部は前記シート体に形成された通孔であることを特徴とする請求項５記載の男性用体液処理用品。
【請求項７】
前記下部隔壁の上縁の中央部が、前記袋体の前側の内面に固定されていることを特徴とする請求項５記載の男性用体液処理用品。
【請求項８】
前記隔壁が、非透水性の素材で構成されていることを特徴とする請求項１乃至７記載の男性用体液処理用品。
【発明の詳細な説明】
【技術分野】
【０００１】
本発明は、着用者のペニスを挿入する挿入口を備えた袋体の内部が前室と後室に区画される等、複数の室に区画され、各室内に体液の吸収体が設けられてなる男性用体液処理用品に係り、特に、袋体内での複数の吸収体による体液の吸収状態を平準化・安定化して挿入口から体液が漏出する等の不都合を防止するようにした男性用体液処理用品に関するものである。
【背景技術】
【０００２】
従来の吸収体物品、例えば子供用おむつ、大人用おむつ、女性用生理用品、女性用失禁用品等は、ナプキン形状であれ、テープ型形状であれ、あるいはパンツ型形状を持つものであれ、共通している点は、液透過性トップシートと、液不透過性のバックシートとの間に、ＳＡＰとパルプを混合した吸収体を介在させるという基本構造を持っていることである。
【０００３】
これらの吸収体製品のうち、男性用体液処理用品は、男性である着用者の体液排出はペニスを通じてを行うことが前提となるので、かかる人体の構造上の特徴に適した構造を有していることが必要とされる。このような男性用体液処理用品としては、下記特許文献１、２に示すように、吸収体を備えた袋部にペニス挿入口が形成された吸収体物品が知られている。
【特許文献１】特開平１１−１７２５０２号公報
【特許文献２】特開２００４−６５８５７号公報
【発明の開示】
【発明が解決しようとする課題】
【０００４】
従来の男性用体液処理用品では、前述したようにペニス挿入口が形成された袋部の内部に吸収体が収納されているが、吸収体が収納されている空間がペニス挿入口を介して直接外界に連通している構成であるため、特に袋部内に排出された体液の量が過大であり、しかも着用者が横臥位や仰臥位などの体位をとった場合等には、吸収体に吸収しきれない体液が逆流してペニス挿入口から外に漏れてしまうことがあるという不都合があった。
【０００５】
さらに、従来の男性用体液処理用品では、ペニスから排出された体液が袋体内の吸収体に適正に吸収されるようにするため、袋部の挿入口からペニスを挿入して下向きの状態で長時間にわたって安定に保つ必要があるが、従来の男性用体液処理用品では、挿入口から挿入したペニスと袋体乃至挿入口との位置関係を適正に保持し、特に挿入口から挿入したペニスが袋体内で上向きにならないよう、下向きに安定した状態で保持するための手段がなかった。
【０００６】
このため、例えば着用者が上述のように横臥位や仰臥位などの体位をとると、袋体に挿入したペニスが袋体内で下向きを維持できずに上向きとなり、あるいはペニスがずれて挿入口から徐々に出てきて抜ける等、袋体内でのぺニスの姿勢保持乃至袋体に対するぺニスの位置保持が不十分になるという問題が生じてしまう。男性用体液処理用品の体液の吸収性能は装着状態によって影響を受け易いため、上述のようにぺニスの姿勢保持又は位置保持に問題が生じると、袋体内にある吸収体に放出された体液が効果的に吸収されない状態となる場合があり、利用可能な体液の吸収容量が減少したり、使用可能時間が短縮される等の不都合が生じることがあった。
【０００７】
そこで本発明は、上述した課題を解決するためになされたものであり、吸収体を備えた袋体にペニスの挿入口が形成された男性用体液処理用品において、袋体内に複数箇所に分けて十分な量乃至数の吸収体を設けるとともに、袋部内に排出された体液がこれら複数の吸収体に対して効率的に吸収されて外部に漏れ出にくいような内部構造を実現し、吸収体の液体吸収性能を最大限に発揮せしめて着用者の姿勢に係わらず体液の漏れが生じないような男性用体液処理用品を提供することを目的とする。
【課題を解決するための手段】
【０００８】
請求項１に記載された男性用体液処理用品は、着用者のペニスを挿入する挿入口を備えた袋体の内部が複数の室に区画され、各室内に体液の吸収体が設けられてなる男性用体液処理用品において、
前記各室が互いに部分的に連通するように、前記各室の間に可撓性の隔壁を設けたことを特徴としている。
【０００９】
請求項２に記載された男性用体液処理用品は、請求項１に記載された男性用体液処理用品であって、着用者のペニスを挿入する挿入口を備えた袋体の内部が前室と後室に区画され、各室内に体液の吸収体が設けられてなる男性用体液処理用品において、
前記前室と前記後室が部分的に連通するように、前記前室と前記後室の間に可撓性の隔壁を設けたことを特徴としている。
【００１０】
請求項３に記載された男性用体液処理用品は、請求項２記載の男性用体液処理用品において、前記前室と前記後室が、前記袋体に形成された折り返し部において区画されており、前記隔壁が前記折り返し部に設けられたことを特徴としている。
【００１１】
請求項４に記載された男性用体液処理用品は、請求項３記載の男性用体液処理用品において、前記隔壁が、前記挿入口に相対する位置に配置されて前記挿入口から挿入されたぺニスの上側に下縁が当接する上部隔壁と、前記挿入口の下端よりも下方に上縁があり前記挿入口から挿入されたぺニスの先端を前記後室に案内する下部隔壁の少なくともいずれか一方から構成されたことを特徴としている。
【００１２】
請求項５に記載された男性用体液処理用品は、請求項４記載の男性用体液処理用品において、前記隔壁が、前記上部隔壁と前記下部隔壁からなり、前記上部隔壁と前記下部隔壁の間にはぺニスの先端が前記後室に配置されるようにぺニスが挿入されるとともに体液の流通を許容する連通開口部が設けられたことを特徴としている。
【００１３】
請求項６に記載された男性用体液処理用品は、請求項５記載の男性用体液処理用品において、前記上部隔壁と前記下部隔壁が一体のシート体からなり、前記連通開口部は前記シート体に形成された通孔であることを特徴としている。
【００１４】
請求項７に記載された男性用体液処理用品は、請求項５記載の男性用体液処理用品において、前記下部隔壁の上縁の中央部が、前記袋体の前側の内面に固定されていることを特徴としている。
【００１５】
請求項８に記載された男性用体液処理用品は、請求項１乃至７記載の男性用体液処理用品において、前記隔壁が、非透水性の素材で構成されていることを特徴としている。
【発明の効果】
【００１６】
請求項１に記載された男性用体液処理用品によれば、着用者のペニスを挿入口から挿入し、さらに袋体内において可撓性の隔壁の連通部分を介してぺニスの先端を複数の室中、最も奥側の室側に配置することができるので、排出された体液はまず最も奥の室に誘導されて該室中の吸収体に優先的に吸収され、吸収しきれない余剰の体液は、各室を区画する隔壁の連通部分を通過して順次挿入口側の隣の室に移動し、吸収される。この状態で仮に着用者が仰臥位の体位をとったとしても、隣接する２つの室と室は隔壁で区切られていることから体液が一方の室から他方の隣接した室に直接移動して直ちに挿入口から外に逆流してしまうおそれは小さい。また、ある室での体液吸収が限界に達すれば隔壁の連通部分を介して過剰の体液は挿入口側の隣の室に移動することができるので、この隣の室の吸収体も体液の吸収に有効に利用され、以後、順次液が次々と隣接する室に移動して吸収されていくので、全体として袋体内に設けられた複数の吸収体による体液の吸収性能は最大限に発揮され、吸収体の利用可能な吸収容量が増大し、使用時間の延長が可能となる効果が得られる。
【００１７】
請求項２に記載された男性用体液処理用品によれば、着用者のペニスを挿入口から挿入し、さらに袋体内において可撓性の隔壁の連通部分を介してぺニスの先端を後室側に配置することができるので、排出された体液はまず後室側に誘導されて後室側の吸収体に優先的に吸収される。また、この状態で仮に着用者が仰臥位の体位をとったとしても、後室と前室は隔壁で区切られていることから体液が後室から前室に直接移動して直ちに挿入口から外に逆流してしまうおそれは小さくなる。また、後室での体液吸収が限界に達すれば隔壁の連通部分を介して過剰の体液は前室に移動することができるので、前室の吸収体も体液の吸収に有効に利用され、全体として袋体内に設けられた複数の吸収体による体液の吸収性能は最大限に発揮され、吸収体の利用可能な吸収容量が増大し、使用時間の延長が可能となる効果が得られる。
【００１８】
請求項３に記載された男性用体液処理用品によれば、袋体に折り返し部を形成して前室と後室を構造上明確に区画し、この折り返し部に隔壁を設けることで、両室ともに十分な容量の吸収空間を確保しているので、前室の吸収体から優先的に行う体液吸収の作用が一層効果的に行われる。
【００１９】
請求項４に記載された男性用体液処理用品によれば、前記隔壁が、後室と前室の連通部分を挟んで上下に対峙する上部隔壁と下部隔壁の少なくとも一方で構成されているので、上部隔壁によれば、その下縁が挿入口から挿入されたぺニスの上側に当接してぺニスの先端が上側に向いてしまうことが防止され、着用者の体位に係わらず体液の吸収状態を安定化させるとともにぺニスが挿入口から抜けるのを防止でき、また下部隔壁によれば、挿入口から下向きに挿入されたぺニスの先端を前室に留まることなく後室に案内することができ、後室側の吸収体から優先的に使用させることができる。
【００２０】
請求項５に記載された男性用体液処理用品によれば、隔壁が上部隔壁と下部隔壁から構成されるので、挿入口から挿入したぺニスを上部隔壁と下部隔壁の間の連通開口部から後室に導くことにより、上述した上部隔壁と下部隔壁の各機能を同時に実現することができる。
【００２１】
請求項６に記載された男性用体液処理用品によれば、一枚のシート体に通孔を形成して連通開口部とし、その上下両部分をそれぞれ上部隔壁及び下部隔壁とすれば、製造し易い簡単な構造で本発明を実現し、上記各効果を得ることができる。
【００２２】
請求項７に記載された男性用体液処理用品によれば、下部隔壁の上縁の中央部を袋体の前側の内面に固定したので、挿入口から挿入したぺニスの先端が下部隔壁の上縁に引っ掛かりにくく、ぺニスの先端を確実に後室に導くことができる。
【００２３】
請求項８に記載された男性用体液処理用品によれば、隔壁が非透水性の素材で構成されているので、当該撥水機能の限度において後室内に体液を保持しておくことができ、後室側の吸収体から優先的に体液の吸収を行わせる効果的な体液吸収の作用をさらに確実にすることができる。
【発明を実施するための最良の形態】
【００２４】
次に、本願出願時において本発明者等が最良と認識する本願発明の実施の形態を説明する。
（１）第１実施形態（上部隔壁のみを有する例：図１〜図３）
図１〜図３に示す本例の男性用体液処理用品１（以下、本製品１とも呼ぶ）は、男性の着用者が下腹部に身につけ、内部に尿等の体液の吸収体３（高分子吸収体シート）を設けた袋体２の挿入口４からペニスを挿入して使用する衛生用品である。
【００２５】
図１及び図２に示すように、本製品１は、不織布に樹脂製フィルムを圧着して構成した薄い防漏性シート材料からなる袋体２を有している。この袋体２は、前記防漏性シート材料の不織布を外側として使用し、図１及び図２に示すように前面側（着用者側）及び背面側から見て全体として図中上方（使用時、着用者が立位にある場合の上方）を尖端として左右にウイングを有する矢羽根形状（略逆Ｖ字形）となるように、かつ全体としては内部空間を有する袋状となるように、その外周縁に沿って圧着して袋状に形成したものである。
【００２６】
図２に示すように、この袋体２は、中央部の空間がペニス格納部５とされており、その前面側（着用者側）に形成された縦に長いスリットがペニスの挿入口４である。図１中に示す挿入口４は縦に長い楕円形であるが、縦長の矩形でもよいし、縦長の三角形でもよい。また、場合によっては横長であってもよい。
【００２７】
図２に示すように、このペニス格納部５の両側には、吸収体を収納する袋体２内の空間の一部である前室として、ペニス格納部５にそれぞれ連通して第１収納部６が設けられている。また袋体２の背面側には、ペニス格納部５の両側において、第１収納部６及びペニス格納部５に連通する別空間である第２収納部７が内側への折り返し部（タック状になった部分）８を介してそれぞれ形成されており、これら第２収納部７が吸収体を収納する袋体２内の空間の他の一部である後室とされている。すなわち、袋体２内の空間は、ペニス格納部５と、ペニス格納部５に連通するとともに折り返し部８で区画された前室としての第１収納部６及び後室としての第２収納部７に分けられている。なお、使用時にこの折り返し部分８が伸張すれば袋体２の内部空間は拡大される。
【００２８】
図２に示すように、これら第１及び第２収納部６，７内には、体液を吸収するための吸収体３がそれぞれ設けられている。さらに、第１収納部６、第２収納部７、ペニス格納部５の間には、これらの各部の間で体液の移動を容易にするためのガイドシートである液体ガイド層９が設けられており、ペニス格納部５に一時に大量の体液が排出された場合には、この液体ガイド層９を介して体液は左右の第１収納部６及び第２収納部７に分散して案内され、各部の吸収体３に吸収されるため、排出された体液がペニス格納部５に滞留することがない。なお、この液体ガイド層９は、複数箇所において、前記吸収体３を介して又は直接に袋体２に固定されている。
【００２９】
そして、図１及び図２に示すように、さらに袋体２内において、第１収納部６と第２収納部７の境界である対向する２つの折り返し部分８，８の間には、第１収納部６と第２収納部７を部分的に区画する上部隔壁１０が設けられている。上部隔壁１０は、図１及び図３（ａ）に示すように、横長帯状の可撓性のシートからなり、非透水性となっている。図１に示すように、上部隔壁１０は、挿入口３から下向きに挿入されたぺニスの上側にその下縁が当接するように、挿入口３に相対する位置に配置されている。
【００３０】
さらに、図１及び図２に示すように、袋体２の前面側において、前記挿入口４の近傍には、可撓性材料からなり下部が一体となった２本の帯状の結束バンド１１が設けられている。結束バンド１１は、着用者が着用時に挿入口４から挿入したペニスＰに巻き付けて使用する。結束バンド１１には、袋体２の表面の不織布に接合し易い薄いフック層１２が設けられ、着用時に結束バンド１１をペニスＰに巻き付けた後に袋体２の正面側に接合できる。従って、男性の着用者がペニスＰを袋体２の挿入口４から内部に挿入し、２本の結束バンド１１，１１を互いに反対方向からペニスＰにかけ回してペニスＰを結束し、これら各結束バンド１１のフック層１２を袋体２の正面側に接合すれば、着用者のぺニスＰに対して本製品１を確実に取り付けることができる。
【００３１】
なお、図示はしないが、袋体２の背面側の中央上部には、剥離シートに覆われた粘着層が設けられており、着用時に該剥離シートを剥がせば、着用者の下着の前身頃の内面側に袋体２を貼り付けて本製品１の着装を確実にすることができる。
【００３２】
装着にあたっては、ぺニスを挿入口４から挿入して上部隔壁１０の下を通し、その先端を第２収納部７内に配置する。そして、２本の結束バンド１１，１１を互いに反対方向からペニスＰの根元にかけ回してペニスＰを結束し、これら各結束バンド１１の先端のフック層１２を袋体２の正面側に接合して固定する。さらに、袋体２の背面側の剥離シートを剥がして粘着層を表し、着用者が下半身に着用している下着の前身頃の内面側に貼り付ける。
【００３３】
これによって、袋体２の左右のウイングの各下方部分が着用者の太腿の付け根に相当する下着の裾からでて下腹部に安定して装着した状態が実現でき、日常活動中に支障なく排尿及び尿処理を行うことができる。
【００３４】
以上の構成及び上述した装着状態によれば、挿入口４から袋体２内に挿入したペニスＰは、上部隔壁１０の下縁に押さえられるので、着用者の姿勢に係わらず、上側を向いてしまうことがなく、ぺニスＰの姿勢保持又は位置保持に問題が生じることはない。また、上部隔壁１０の下縁に押さえられたぺニスＰは、その先端が後室である第２収納部７に位置することとなるので、排出された体液は第２収納部７に優先的に吸収される。さらに、体液が第２収納部７で吸収しきれない状態において、着用者が仰臥位をとった場合には、余剰の体液は第１収納部６に向けて流れることとなるが、第２収納部７と第１収納部６の間の少なくとも一部が上部隔壁１０で隔てられているので、余剰の体液が第２収納部７から第１収納部６に直接移動して直ちに挿入口３から外に漏出してしまうおそれは小さくなる。なお、第２収納部７での体液吸収が限界に達すれば隔壁の連通部分、すなわち第２収納部７と第１収納部６の間の上部隔壁１０が存在しない部分から余剰の体液は第１収納部６に移動することができるので、第１収納部６の吸収体３も体液の吸収に有効に利用され、全体として袋体２内に設けられた複数の吸収体３による体液の吸収性能は最大限に発揮され、吸収体３の利用可能な吸収容量が増大し、使用時間の延長が可能となる効果が得られる。
【００３５】
本例によれば、袋体２内においてぺニスＰの上面側には可撓性を有するシート状の上部隔壁１０の下縁が安定して係止されてぺニスＰに下向きの保持力を与えているので、着用者の動作により袋体２に挿入したペニスＰが袋体２内で下向きの状態を維持できなくなるような場合であっても、ぺニスＰは下向きに安定的に保持され、その先端は第２収納部７に維持される。従って、着用者が、横臥位や仰臥位などの体位をとっても、そのような体位でぺニスＰから排出される体液は、袋体２の後室である第２収納部７から優先的に吸収され、次に第１収納部６に移動して吸収される。従って、本製品１が有する吸収体３の吸収容量を最大限に利用でき、最大限の使用可能時間を実現することができる。また、上部隔壁１０は可撓性のあるシート状なのでぺニスＰを押さえても着用者に苦痛を与えることがない。
【００３６】
以上説明したように、本例の上部隔壁１０は図１及び図３（ａ）に示すような横長帯状であるが、上部隔壁１０の形状はこれに限らない。例えば、図３（ｂ）に示すように下縁が直線状で折り返し部分８，８の間の上部全体を閉止する形状の上部隔壁１０ｂであれば、着用者が仰臥位の体位をとっても第２収納部７内の余剰の体液が直接第１収納部６に移動することが防止される。また、図３（ｃ）に示すように下縁が上方に向けて凹状となった山形で折り返し部分８，８の間の上部全体を閉止する形状の上部隔壁１０ｃであれば、図３（ｃ）と同様の効果に加え、ぺニスＰの上側との接触部分の密閉性が確実になる。さらに、図３（ｄ）に示すような下縁が下方に向けて凸状となった形状で折り返し部分８，８の間の上部全体を閉止する形状の上部隔壁１０ｄであれば、図３（ｃ）と同様の効果に加え、ぺニスＰの上面を押さえる作用が確実になる。
【００３７】
（２）第２実施形態（下部隔壁のみを有する例：図４〜６）
図４〜図６に示す本例の男性用体液処理用品１の基本構造は、第１の例と同一であり、隔壁が下部隔壁である点と、その取付け位置において、第１の例と異なる。従って、第１の例と同一の構成部分については、図中に第１の例と同一の符号を付してその説明を省略する。
【００３８】
図４及び図５に示すように、袋体２内において、第１収納部６と第２収納部７の境界である対向する２つの折り返し部分８，８の間には、第１収納部６と第２収納部７を部分的に区画する下部隔壁２０が設けられている。下部隔壁２０は、図４及び図６（ａ）に示すように、横長帯状の可撓性のシートからなり、非透水性となっている。図４に示すように、下部隔壁２０は、挿入口３の下端よりも下方に上縁があり、挿入口３から下向きに挿入されたぺニスＰの下側にその上縁が当接するように挿入口３の下方に配置され、挿入口３から挿入されたぺニスＰの先端を第１収納部６に留まらせることなく第２収納部７に案内する機能を有する。
【００３９】
装着にあたっては、ぺニスＰを挿入口４から挿入して下部隔壁２０の上に渡し、その先端を第２収納部７内に配置する。そして、２本の結束バンド１１，１１を互いに反対方向からペニスＰの根元にかけ回してペニスＰを結束し、これら各結束バンド１１の先端のフック層１２を袋体２の正面側に接合して固定する。さらに、袋体２の背面側の剥離シートを剥がして粘着層を表し、着用者が下半身に着用している下着の前身頃の内面側に貼り付ける。これによって、第１例と同様に装着することができる。
【００４０】
以上の構成及び上述した装着状態によれば、挿入口４から袋体２内に挿入したペニスＰは、その先端が下部隔壁２０の奥側である第２収納部７内に位置することとなるので、着用者の姿勢に係わらず、排出された体液は第２収納部７に優先的に吸収される。さらに、体液が第２収納部７で吸収しきれない状態において、着用者が仰臥位をとった場合には、余剰の体液は第１収納部６に向けて流れることとなるが、第２収納部７と第１収納部６の間の少なくとも一部が下部隔壁２０で隔てられているので、余剰の体液が第２収納部７から第１収納部６に直接移動して直ちに挿入口４から外に漏出してしまうおそれは小さくなる。なお、第２収納部７での体液吸収が限界に達すれば隔壁の連通部分、すなわち第２収納部７と第１収納部６の間の下部隔壁２０が存在しない部分から余剰の体液は第１収納部６に移動することができるので、第１収納部６の吸収体３も体液の吸収に有効に利用され、全体として袋体２内に設けられた複数の吸収体３による体液の吸収性能は最大限に発揮され、吸収体３の利用可能な吸収容量が増大し、使用時間の延長が可能となる効果が得られる。なお、下部隔壁２０は可撓性のあるシート状なのでぺニスＰがその上縁に接触しても着用者に苦痛を与えることはない。
【００４１】
以上説明したように、本例の下部隔壁２０は図４及び図６（ａ）に示すような横長帯状であるが、下部隔壁２０の形状はこれに限らない。例えば、図６（ｂ）に示すように上縁が直線状で折り返し部分８，８の間の下部全体を閉止する形状の下部隔壁２０ｂであれば、着用者が仰臥位の体位をとっても第２収納部７内の余剰の体液が直接第１収納部６に移動することが防止される。また、図６（ｃ）に示すように上縁が上方に向けて凸状となった山形で折り返し部分８，８の間の下部全体を閉止する形状の下部隔壁２０ｃであれば、図６（ｂ）と同様の効果に加え、ぺニスＰの下側を支える作用が確実になる。さらに、図６（ｄ）に示すような上縁が下方に向けて凹状となった形状で折り返し部分８，８の間の下部全体を閉止する形状の下部隔壁２０ｄであれば、図６（ｂ）と同様の効果に加え、ぺニスＰの先端を抵抗なく第２収納部７内に案内する作用が確実になる。
【００４２】
（３）第３実施形態（上部隔壁１０及び下部隔壁２０を有する例：図７及び図８）
図７及び図８に示す本例の男性用体液処理用品１の基本構造は、第１乃至第２の例と同一であり、隔壁が上部隔壁１０及び下部隔壁２０の両方を備える点が第１及び第２の例と異なる。従って、第１及び第２の例と同一の構成部分については、図中に第１及び第２の例と同一の符号を付してその説明を省略する。
【００４３】
図７（ａ）は、図３（ａ）に示す上部隔壁１０と、図６（ａ）に示す下部隔壁２０を組み合わせたものである。図７（ｂ）は、図３（ａ）に示す上部隔壁１０と、図６（ｂ）に示す下部隔壁２０ｂを組み合わせたものである。図７（ｃ）は、図３（ｂ）に示す上部隔壁１０ｂと、図６（ｂ）に示す下部隔壁２０ｂを組み合わせたものである。図７（ｄ）は、図３（ｃ）に示す上部隔壁１０ｃと、図６（ｃ）に示す下部隔壁２０ｃを組み合わせたものである。図７（ｅ）は、図３（ｃ）に示す上部隔壁１０ｃと、図６（ｄ）に示す下部隔壁２０ｄを組み合わせたものである。これらの各例によれば、第１及び第２の例において説明した各例の作用効果を相乗した作用効果が得られる。
【００４４】
図７（ｆ）は、形状的には同図（ｅ）に似ているが、上部隔壁１０ｆと下部隔壁２０ｆが一枚のシート体で構成され、第２収納部７と第１収納部６の連通部分が、該シート体に形成された通孔２２で構成されたことを特徴とする。かかる構造によれば、一部品で上下の両隔壁を構成でき、製造が容易である。
【００４５】
図７（ｇ）は、同図（ｆ）の構造と同様に上部隔壁１０ｇと下部隔壁２０ｇが一枚のシートから構成されている。上部隔壁１０ｇと下部隔壁２０ｇから構成されるシートの中央に形成され、第１収納部６と第２収納部７を連通させている連通開口部である通孔２２ｇの形状は、ぺニスＰの断面形状に近い縦長楕円形であり、装着時に着用者がぺニスＰを挿入する際に抵抗感がなく、また着用後はぺニスＰの保持が確実である。また、上部隔壁１０ｇと下部隔壁２０ｇからなる一枚の連続したシートの上端縁と袋体２の内面との間には、第１収納部６と第２収納部７を連通させる連通開口部として隙間２３が設けられており、同様に上端縁と袋体２の内面との間にも、第１収納部６と第２収納部７を連通させる連通開口部として隙間２４が設けられている。従って、排出された体液は、前記通孔２２ｇ及び前記隙間２３，２４を通過して、第１収納部６と第２収納部７の間を移動することができる。
【００４６】
図８は、上部隔壁１０及び下部隔壁２０の両方を備える本例の男性用体液処理用品１の装着状態を断面で示している。この図から理解されるように、挿入口３から挿入されたぺニスＰは、上部隔壁１０と下部隔壁２０の間の連通部分を挿通し、上部隔壁１０の下縁によって姿勢が上向きになるのが防止され、その先端部が下向きになって後室である第２収納部７内に配置される。従って、前述したように、排出された体液は第２収納部７の吸収体３で優先的に吸収され、第２収納部７で余剰の体液が生じても両隔壁１０，２０に遮られて前室である第１収納部６に直接流れ込んで挿入口４から外部に漏れることがなく、適宜連通部分から第１収納部６に誘導されて第１収納部６内の吸収体３に効果的に吸収されることとなる。
【００４７】
（４）第４実施形態（上部隔壁１０及び下部隔壁２０のを有する他の例：図９及び図１０）
図９及び図１０に示す本例の男性用体液処理用品１の基本構造は第３の例と同一であり、同一の構成部分については、図中に第３の例と同一の符号を付してその説明を省略する。
【００４８】
本例が第３例と異なる部分は、下部隔壁２０の上縁中央部が、袋体２の前側の内面に接合部２５によって固定されている点である。かかる構造によれば、第３の例と略同一の作用効果が得られる他、装着時にぺニスＰの先端部を第２収納部７内に導入し易い。装着後は、必要に応じて接合部２５による固定を解除して、第１収納部６と第２収納部７の隔離状態をより確実にしてもよい。
【００４９】
図１０（ａ）の例は、下部隔壁２０の中央部分を接合部２５で袋体２に固定しているだけであるが、図１０（ｂ）の例では、下部隔壁２０の中央部分にある接合部２５の両側に、下部隔壁２０の高さの約半分程度の長さのスリット３０，３０を縦方向に沿って設けてある。このスリット３０を設けることにより、前記接合部２５がガイドになって体液が下部隔壁２０を伝って挿入口４から外部に漏れてしまうこと（伝い漏れ）を防止する機能が得られる。
【００５０】
（５）第５実施形態（第１及び第２収納部６，７の他の形状例：図１１乃至図１３）
以上説明した本例の男性用体液処理用品では、図１１に示すように装着時に着用者から見て手前側に比較的小さい幅の第１収納部６と、同奥側に比較的大きい幅の第２収納部７が設けられているが、この幅の大小関係は図１２に示すように逆にしてもよいし、また図１３に示すように両者を同幅にしてもよい。いずれにしても、奥側（後室側）の第２収納部７の吸収体から優先的に体液の吸収に供せられる効果が得られる。
【００５１】
（６）第６実施形態（結束バンド１１に替えてインナーバンド４０を設けた例：図１４（ａ）〜（ｃ））
図１及び図２に示した例では、隔壁１０とともに、袋体２の外側に結束バンド１１を設けていたが、本例では、図１４の各図に示すように、上部隔壁１０及び下部隔壁２０とともに、前記結束バンド１１の代わりに袋体２の内部にぺニス結束具としてのインナーバンド５０を設けたことを特徴とする。
【００５２】
そして、図１乃至図３に示すように、本製品１は、挿入口４から袋体２内に挿入したペニスＰが袋体２内で上向きにならないように長時間にわたって安定して保持するために、袋体２内でぺニスＰを下向きに保持する手段としてのインナーバンド５０を備えている。
【００５３】
インナーバンド５０は、糸ゴム・平ゴム等の細長い複数本の長体状の弾性材料である糸状弾性体１４を、被覆材料であるシート体としての不織布で両側から挟み込んで一体化して構成した帯状の弾性部材である。本例のインナーバンド５０の中央部には、着用者が着用時に指で摘んだり引っ掛けたりする等して操作するための操作部５１が不織布と一体構造で設けられている。また不織布には操作部５１が設けられた中央部分も含めてひだが生じており、その全長にわたって弾性を示しうる構造となっている。また、操作部５１には、袋体２に接合するための接合部５２が設けられている。
【００５４】
インナーバンド５０は、図１４（ａ）に示すように、前記袋体２内において、前記挿入口４の下端部に近接して配置され、前記袋体２の前記挿入口４が形成された側（前面側、着用者側）の内面に、挿入口４を間に挟んで両側の各位置に両端がそれぞれ固定され、中央部分が袋体２の内面との間にぺニスＰが挿入される挿通空間を構成している。また、インナーバンド５０の中央に設けられた操作部５１は、挿入口４に対応する位置にあり、挿入口４から外に露出している。また、操作部５１は、袋体２の内部に隠れていても、着用者が挿入口４から指を差し入れればすぐに捜し当てることができる位置にある。
【００５５】
装着手順を説明する。
着用者が挿入口４から外に出ている操作部５１を摘み、又は着用者が挿入口４から指を入れて袋体２内にある操作部５１を摘み、インナーバンド５０を挿入口４から外に引き出して伸張させ、伸張状態でぺニスＰを下方に通して挿入口４から袋体２内に挿入し、上部隔壁１０と下部隔壁２０の間の連通開口部を通してぺニスＰの先端を第２収納部７内に配置する。そして、図１４（ｂ）に示すように、操作部５１の先端の接合部５２を挿入口４の上方に引き上げ、袋体２の上端を越えて袋体２の背面側（着用者と反対側）に持ち込み、袋体２の背面側（着用者と反対側）に接合して固定する。
【００５６】
本例によれば、インナーバンド５０の作用によって、ぺニスＰは袋体２内で確実に下向きに保持され、排出された体液は第２収納部７側に誘導されて第２収納部７の吸収体３に優先的に吸収される。また、この状態で仮に着用者が仰臥位の体位をとったとしても、ぺニスＰはインナーバンド５０の下向きに押さえる機能によって上向きにはなりにくく、その先端を第２収納部７内に配置された状態に変わりはない。さらに第１収納部６と第２収納部７は隔壁１０，２０で区切られていることから体液が第２収納部７から第１収納部６に直接移動して直ちに挿入口から外に逆流してしまうおそれが小さいことは前述した各例と同様である。
【００５７】
なお、以上説明したいずれの隔壁の構造例においても、隔壁は袋体２内に設けた第１収納部６と第２収納部７を区画する折り返し部分８，８の間を構造的に連結しているので、袋体２の幅方向に何らかの外力が加わっても隔壁が支えになり、袋体２が無用に膨らんで第１収納部６と第２収納部７の区画状態がなきものとなるおそれはない。
【００５８】
なお、以上説明したいずれの隔壁の構造例においても、袋体２内は隔壁で第１収納部６と第２収納部７の２室に区画されていたが、袋体内を隔壁で連通する３以上の室に区画し、挿入口４から挿入したぺニスＰの先端部が最も奥側の室内に配置されるように構成してもよい。その場合、排出された体液はまず最も奥の室に誘導されて該室中の吸収体３に優先的に吸収され、吸収しきれない余剰の体液は、各室を区画する隔壁の連通部分を通過して順次挿入口４側の隣の室に移動し、吸収されていく。この状態で仮に着用者が仰臥位の体位をとったとしても、隣接する２つの室と室は隔壁で区切られていることから体液が一方の室から他方の隣接した室に直接移動して直ちに挿入口４から外に漏出してしまうおそれはなく、また、ある室での体液吸収が限界に達すれば隔壁の連通部分を介して過剰の体液は挿入口４側の隣の室に移動することができるので、この隣の室の吸収体３も体液の吸収に有効に利用され、以後、順次液が次々と隣接する室に移動して吸収されていく。よって、全体として袋体内に設けられた複数の吸収体３による体液の吸収性能は最大限に発揮され、吸収体３の利用可能な吸収容量が増大し、使用時間の延長が可能となる効果が得られる。
【図面の簡単な説明】
【００５９】
【図１】本発明の実施の形態の第１例に係る男性用体液処理用品の正面図である。
【図２】本発明の実施の形態の第１例に係る男性用体液処理用品の横断面図である。
【図３】本発明の実施の形態の第１例における上部隔壁の形状例を示す正面側から見た図である。
【図４】本発明の実施の形態の第２例に係る男性用体液処理用品の正面図である。
【図５】本発明の実施の形態の第２例に係る男性用体液処理用品の横断面図である。
【図６】本発明の実施の形態の第２例における下部隔壁の形状例を示す正面側から見た図である。
【図７】本発明の実施の形態の第３例における上部隔壁及び下部隔壁の形状例を示す正面側から見た図である。
【図８】本発明の実施の形態の第３例における装着状態を示す断面図である。
【図９】本発明の実施の形態の第４例における装着状態を示す断面図である。
【図１０】本発明の実施の形態の第４例における上部隔壁及び下部隔壁の形状及び構造を示す正面側から見た図である。
【図１１】第１乃至第４例における袋体の構造を示す断面図である。
【図１２】第５例における袋体の構造例を示す断面図である。
【図１３】第５例における袋体の他の構造例を示す断面図である。
【図１４】本発明の実施の形態の第６例に係る男性用体液処理用品の（ａ）正面図、（ｂ）縦断面図、（ｃ）横断面図である。
【符号の説明】
【００６０】
１  男性用体液処理用品
２  袋体
３  吸収体
４  挿入口
５  ペニス格納部
６  前室としての第１収納部
７  後室としての第２収納部
８  第１収納部と第２収納部を区画する折り返し部
１０，１０ｂ，１０ｃ，１０ｄ  上部隔壁
２０，２０ｂ，２０ｃ，２０ｄ  下部隔壁
２５  接合部
【図１】
2006255178.tif 000003
【図２】
2006255178.tif 000004
【図３】
2006255178.tif 000005
【図４】
2006255178.tif 000006
【図５】
2006255178.tif 000007
【図６】
2006255178.tif 000008
【図７】
2006255178.tif 000009
【図８】
2006255178.tif 000010
【図９】
2006255178.tif 000011
【図１０】
2006255178.tif 000012
【図１１】
2006255178.tif 000013
【図１２】
2006255178.tif 000014
【図１３】
2006255178.tif 000015
【図１４】
2006255178.tif 000016